(57)【要約】【課題】足場から１人の作業者によって壁つなぎ装置を容易にかつ確実に建物の外壁に固定できるようにする。【解決手段】壁つなぎ装置１０が、建物の壁と該建物の周囲に配設された足場との間に架け渡される棒状の架橋部材１２と、架橋部材において建物の壁側の先端部分に架橋部材に沿って移動できないように連結された外板１４と、架橋部材において外板よりも先端側に架橋部材に沿って移動可能に設けられた内板１８とを具備し、外板と内板とで建物の壁を挟持し、内板を自在かぎの原理で架橋部材に沿って移動できないように係止するようにした。【選択図】図１
2019019499.tif 000002
【特許請求の範囲】
【請求項１】
建物の壁と該建物の周囲に配設された足場との間に架け渡される棒状の架橋部材と、
前記架橋部材において前記建物の壁側の先端部分に前記架橋部材に沿って移動できないように連結された外板と、
前記架橋部材において前記外板よりも先端側に前記架橋部材に沿って移動可能に設けられた内板とを具備し、
前記外板と内板とで前記建物の壁を挟持し、前記内板を自在かぎの原理で前記架橋部材に沿って移動できないように係止することを特徴とした壁つなぎ装置。
【請求項２】
前記内板は、前記建物の壁の表面に当接可能に設けられた当接部を有する請求項１に記載の壁つなぎ装置。
【請求項３】
前記外板は前記架橋部材を挿通する開口部を有し、かつ、ピンによって前記架橋部材に回動可能に連結され、前記内板は前記架橋部材を挿通する開口部を有しており、
前記壁つなぎ装置は、前記架橋部材が、前記建物の壁の頂部を横断して該建物の壁と前記足場との間に延在し、前記外板の一端部が前記建物の壁において前記足場に対面する側面に接触し、前記内板が前記建物の壁の反対側の側面に接触するように配置される請求項１に記載の壁つなぎ装置。
【請求項４】
前記外板おいて前記ピンに関して建物の壁と接触する端部とは反対側の端部に結合され、前記外板の前記一端部を前記建物の壁の外面に押圧するための押圧レバーを更に具備する請求項３に記載の壁つなぎ装置。
【請求項５】
前記内板に連結された紐状部材を更に具備し、該紐状部材を前記足場から引き込むことによって、前記内板を前記外板へ向けて前記架橋部材に沿って移動させるようにした請求項４に記載の壁つなぎ装置。
【請求項６】
前記押圧レバーは中空部材より成り、前記紐状部材は該押圧レバーの中空部内に挿通される請求項５に記載の壁つなぎ装置。
【請求項７】
前記外板を前記建物の壁の前記外面に押圧する位置に前記押圧レバーを固定する係止装置を更に具備する請求項５に記載の壁つなぎ装置。
【請求項８】
前記係止装置は、前記押圧レバーから前記架橋部材へ向けて延設されたロッドと、前記架橋部材に回動可能に取り付けられ、前記ロッドを係止する係止レバーとを具備する請求項７に記載の壁つなぎ装置。
【発明の詳細な説明】
【技術分野】
【０００１】
本発明は、建物の解体や外壁リフォームに際して建築物の周囲に仮設される足場を建物の外壁等（以下建物の外壁と称する）とを接続する壁つなぎ装置に関する。
【背景技術】
【０００２】
特許文献１には、横棒の一端側に第１挟持体と第２挟持体とを離間させて設け、この第１挟持体と第２挟持体とで建物の外壁を挟み付けて固定するようにした壁つなぎ装置が記載されている。この壁つなぎ装置では、横棒には複数の孔が長手方向に並べて形成されており、この孔と第２挟持体に形成した孔とを位置合わせして、連結ピンを挿通することによって、第２挟持体を横棒に沿って複数の位置で固定できるようにして、第１挟持体と第２挟持体との間の距離を調節できるようになっている。更に、第２の挟持体には調整用螺軸が配設されており、様々な厚さの外壁に適合できるようになっている。
【先行技術文献】
【特許文献】
【０００３】
【特許文献１】特開平０９―３１０４８３号公報
【発明の概要】
【発明が解決しようとする課題】
【０００４】
特許文献１の壁つなぎ装置は、様々な厚さの外壁に適合することができるが、第２挟持体を横棒に固定するために、第２挟持体の貫通孔と横棒の貫通孔とを位置合わせし、そこに連結ピンを挿通し、調整用螺軸を締め付けたりする固定作業がであり、かつ、固定される足場から作業者がこれら固定作業を行うことが困難である。そのため、特許文献１の壁つなぎ装置を建物の外壁と足場とに固定するために、建物側と足場側とに作業者を配置したり、或いは、作業者は足場から身を乗り出して固定作業を行わなければならない問題がある。
【０００５】
本発明は、こうした従来技術の問題を解決することを技術課題としており、建物の外壁に確実に強固に固定でき、かつ、足場から１人の作業者によって容易に外壁に着脱可能な壁つなぎ装置を提供することを目的としている。
【課題を解決するための手段】
【０００６】
上述の目的を達成するために、本発明によれば、建物の壁と該建物の周囲に配設された足場との間に架け渡される棒状の架橋部材と、前記架橋部材において前記建物の壁側の先端部分に前記架橋部材に沿って移動できないように連結された外板と、前記架橋部材において前記外板よりも先端側に前記架橋部材に沿って移動可能に設けられた内板とを具備し、前記外板と内板とで前記建物の壁を挟持し、前記内板を自在かぎの原理で前記架橋部材に沿って移動できないように係止するようにした壁つなぎ装置が提供される。
【発明の効果】
【０００７】
本発明によれば、作業者は、架橋部材に沿って移動できないように連結された外板と、架橋部材に沿って移動可能に設けられた内板とで建物の壁を挟持するように、架橋部材を建物の周囲に配設された足場と建物の壁との間に架け渡すように壁つなぎ装置を配置することができる。そして、内板を自在かぎの原理で前記架橋部材に沿って移動できないように係止することによって、壁つなぎ装置を建物の壁に強固に固定することができる。
【図面の簡単な説明】
【０００８】
【図１】本発明の好ましい実施形態による壁つなぎ装置の斜視図である。
【図２】図１の壁つなぎ装置の側面図である。
【図３】自在かぎの原理を説明するための略図である。
【発明を実施するための形態】
【０００９】
以下、添付図面を参照して、本発明の好ましい実施形態を説明する。
図１、２において、壁つなぎ装置１０は、建物の外側に組み立てられる足場（図示せず）を建物の外壁Ｗに連結する架橋部材１２と、該架橋部材１２にピン１６によって回動可能に連結される第１の挟持部材または外板１４と、架橋部材１２に沿って移動可能に取り付けられた第２の挟持部材または内板１８と、外板１４の一端に結合された押圧レバー２０と、押圧レバー２０内に挿通され、先端部２２ａにおて内板１８に連結された紐状部材２２と、押圧レバー２０のための係止装置２５とを具備している。
【００１０】
架橋部材１２は、足場を建物の外壁Ｗに連結するのに十分な強度を有した金属製の断面が矩形の棒状部材、好ましくは中空の管状部材より成る。本実施形態では、外板１４は、ウェブ１４ａと、ウェブ１４ａの両側部に設けられたフランジ１４ｂとを有して断面がコの字形を呈した形鋼より成り、ウェブ１４ａに架橋部材１２を挿通する開口部１４ｃが形成されている。外板１４は、フランジ１４ｂにおいてピン１６によって架橋部材１２に回動可能に連結されている。
【００１１】
本実施形態では、内板１８は、ウェブ１８ａと、ウェブ１８ａの両側部に設けられたフランジ１８ｂとを有して断面がコの字形を呈した形鋼より成り、ウェブ１８ａには架橋部材１２を挿通する矩形の開口部１８ｃが形成されている。また、ウェブ１８ａにおいて建物の外壁Ｗに対面する表面から突出する当接部１８ｄが設けられている。当接部１８ｄは、好ましくは、外壁Ｗに当接する先端部分が球面または円筒面となるように形成され、ウェブ１８ａに溶接等の結合方法によって一体に結合されている。内板１８は、架橋部材１２を開口部１８ｃに挿通することによって、架橋部材１２において外板１４よりも先端側で架橋部材１２に沿って移動可能に取り付けられる。
【００１２】
押圧レバー２０は、中空の金属製パイプ部材より成り、ブラケット３４を介して外板１４の上端部に結合されている。本実施形態では、ブラケット３４は、溶接等の適当な結合方法によって外板１４の上端部に結合されている。本実施形態では、押圧レバー２０はUボルトのような適当な締結手段によってブラケット３４に着脱可能に取り付けられている。押圧レバー２０内を通して紐状部材２２が延設されている。紐状部材２２は、ワイヤやロープ等から形成することができ、先端部２２ａは二股に分かれて、内板１８の両フランジ１８ｂに連結されている。紐状部材２２において、先端部２２ａの反対側の端部に作業者による把持を助ける握りまたはグリップ（図示せず）を設けてもよい。
【００１３】
係止装置２５は、架橋部材１２に対して横断方向に延設されたロッド２４と、該ロッド２４を係止する係止レバー２８とを具備する。ロッド２４は、押圧レバー２０において外板１４との結合部から離間した遠位端に隣接した部分に、ピン２６によって回動可能に連結されている。係止レバー２８は、アングル部材より成り架橋部材１２の側面にピン３２によって回動可能に連結されている。係止レバー２８は、ロッド２４を挿通する貫通孔が形成されている。また、係止レバー２８には、作業者が把持して、係止レバー２８を操作するための例えばUボルトより成るグリップ３０が取り付けられている。
【００１４】
以下、本実施形態の作用を説明する。
先ず、図１、２に示すように、外板１４が建物の外壁Ｗの外面に、そして内板１８が外壁Ｗの内面に接触し、架橋部材１２と押圧レバー２０が足場側に延びるように、壁つなぎ装置１０が足場と外壁Ｗとの間に配置される。この作業は、作業者が足場から行うことができる。
【００１５】
次いで、架橋部材１２が外壁Ｗへ向けて押圧され、外板１４の先端が外壁Ｗの外面に接触する。作業者が紐状部材２２を引っ張ると、内板１８が架橋部材１２に沿ってスライドし、当接部１８ｄが外壁Ｗの内面に接触する。作業者が押圧レバー２０の先端部分を把持して押し下げると、図１において矢印Ａで示すように、外板１４にはピン１６を中心としてのモーメントが作用し、てこの原理により外板１４の下端が外壁Ｗの外面に強く押圧される。
【００１６】
それと同時に、外板１４が外壁Ｗの外面に圧されることの反力により、内板１８の当接部１８ｄも外壁Ｗの内面に押圧され、架橋部材１２は、外壁Ｗに強固に固定される。この際、内板１８は、自在かぎの原理により、架橋部材１２にロックされ滑り移動することはできない。つまり、当接部１８ｄが外壁Ｗに押圧されると、当接部１８ｄに作用する外壁Ｗからの反力によって、内板１８には反対方向（反時計回りの方向）のモ−メントが作用し、そのモ−メントに釣り合うように内板１８と架橋部材１２との間に強い接触力（反力または垂直効力）が発生し、その摩擦力によって内板１８は架橋部材１２上にロックされる。これが自在かぎの原理である。本実施形態では、自在かぎの原理は、内板１８が外壁Ｗから受ける反力によるモーメントによって、内板１８と架橋部材１２との間に生じる摩擦力が増大することを意味する。
【００１７】
内板１８と外壁Ｗとの間の力学モデルを示す略図である図３を参照して、自在かぎの原理を一層詳細に説明する。図３において、Ｎは架橋部材１２と内板１８の開口部１８ｃとの間に作用する力、つまり、架橋部材１２と内板１８の開口部１８ｃの架橋部材１２に関して外壁Ｗから遠い側（図３では上側）の内縁との接点Ｐ1、開口部１８ｃの架橋部材１２に関して外壁Ｗに近い側（図３では下側）の内縁との接点Ｐ2において、内板１８が架橋部材１２から受ける反力（垂直効力）である。Ｒは、内板１８の当接部１８ｄが外壁Ｗから受ける反力（垂直効力）である。ここで、Ｒは、架橋部材１２を内板１８の開口部１８ｃから長手方向（左方向）に引き抜く力と等しくなることに注意されたい。
【００１８】
いま、接点Ｐ1、Ｐ2間の架橋部材１２の長手方向（架橋部材１２の中心軸に沿う方向）の距離をＢとすると、接点Ｐ1回りのモーメントの釣合から下記の式（１）を得る。
【数１】
2019019499.tif 000003
【００１９】
ここで、架橋部材１２が内板１８に対して滑らないための条件は、μを摩擦係数として、
【数２】
2019019499.tif 000004
【００２０】
式（１）、（２）から、
【数３】
2019019499.tif 000005
となる。一例として、実寸であるＢ＝５ｍｍ、Ｈ＝１５０ｍｍを式（３）に代入すると、μ＝０．０１７となる。通常鉄同士の摩擦係数は０．２程度であるので、０．２／０．０１７＝１１．８と安全率は１０以上あり、摩擦力でも十分強固に固定可能なことが分かる。
【００２１】
押圧レバー２０を押し下げた状態で、作業者が係止レバー２８のグリップ３０を把持して上方に引き上げると、ロッド２４が自在かぎの原理により係止レバー２８にロックされ、押圧レバー２０が架橋部材１２に対して強固にロックされる。最後に、通常使用される固定金具（図示せず）で架橋部材１２と足場とを固定すれば、足場は壁に完全に固定される。これら一連の操作は、作業者が足場に乗った状態で数秒で行える。
【００２２】
外壁Ｗとの固定を解除したい時は、作業者がグリップ３０を把持して係止レバー２８を押し下げることによって、係止レバー２８がピン３２を中心として回動し、ロッド２４が係止レバー２８の貫通孔内で自由に移動可能となり、ロックは瞬時に解除される。その際、押圧レバー２０の先端部分も同時に押し下げるようにすると、係止レバー２８を押し下げ易くなる。
【００２３】
足場と架橋部材１２を連結する締結具を緩め、架橋部材１２をその軸回りに回転させることによって、内板１８を建物の外壁Ｗから脱離させることができ、架橋部材１２を足場側へ引き入れることが可能となる。これにより、壁つなぎ装置１０は建物の外壁Ｗから完全に分離され、足場側に回収可能となる。
【００２４】
なお、既述の実施形態では、内板１８の開口部１８ｃは矩形に形成されているが、開口部１８ｃは矩形以外の形状でも自在かぎの原理は有効に作用する。開口部１８ｃは、例えば矩形ではなく円形にしてもよい。
【符号の説明】
【００２５】
１０    装置
１２    架橋部材
１４    外板
１４ａ    ウェブ
１４ｂ    フランジ
１４ｃ    開口部
１６    ピン
１８    内板
１８ａ    ウェブ
１８ｂ    フランジ
１８ｃ    開口部
１８ｄ    当接部
２０    押圧レバー
２２    紐状部材
２２ａ    先端部
２４    ロッド
２５    係止装置
２６    ピン
２８    係止レバー
３０    グリップ
３２    ピン
３４    ブラケット
【図１】
2019019499.tif 000006
【図２】
2019019499.tif 000007
【図３】
2019019499.tif 000008